(57)【要約】【課題】使用者の頭部が接触するおそれがなく、使い勝手のよい機能モジュールを提供する。【解決手段】ベッドのヘッドボードは、ベッドのマットレス側となる前方およびベッドの幅方向における少なくともいずれかの側方が開口すると共に載置面を有するようにヘッドボード内に奥まって設けられた収容部と、収容部の側方の開口から出し入れ可能に載置面に載置される筐体を有し、収容部の前方の開口を介して所定機能を実現可能な機能モジュールと、を備える。また、前方側への筐体の回動を規制するように、筐体の前面または上面の少なくとも一方に当接可能な当接部が設けられる。【選択図】図４
2018191772.tif 000002
【特許請求の範囲】
【請求項１】
ベッドのヘッドボードであって、
前記ベッドのマットレス側となる前方および前記ベッドの幅方向における少なくともいずれかの側方が開口すると共に載置面を有するように前記ヘッドボード内に奥まって設けられた収容部と、
前記収容部の側方の開口から出し入れ可能に前記載置面に載置される筐体を有し、前記収容部の前方の開口を介して所定機能を実現可能な機能モジュールと、
を備え、
前方側への前記筐体の回動を規制するように、前記筐体の前面または上面の少なくとも一方に当接可能な当接部が設けられる
ヘッドボード。
【請求項２】
請求項１に記載のヘッドボードであって、
前記収容部の前方の開口の上側に配置される上部板を備え、
前記上部板は、前記当接部として、前記筐体の前面に当接可能な下端部を有する
ヘッドボード。
【請求項３】
請求項１に記載のヘッドボードであって、
前記収容部は、前記当接部として、前記筐体の上面に当接可能に前記収容部内に突出する凸部が設けられる
ヘッドボード。
【請求項４】
請求項１ないし３のいずれか１項に記載のヘッドボードであって、
前記収容部は、前記ベッドの幅方向における中央部を除いた両端部の少なくとも一方に設けられる
ヘッドボード。
【請求項５】
請求項１ないし４のいずれか１項に記載のヘッドボードであって、
前記収容部は、複数種類の前記機能モジュールを横並びに収容可能に設けられる
ヘッドボード。
【請求項６】
請求項１ないし５のいずれか１項に記載のヘッドボードであって、
前記収容部は、前記載置面が前記ベッドのマットレスの上面と略同じ高さとなるよう設けられる
ヘッドボード。
【発明の詳細な説明】
【技術分野】
【０００１】
本発明は、ヘッドボードに関する。
【背景技術】
【０００２】
従来、この種のヘッドボードとしては、ベッドに設けられ、棚や開口式収納、引き出し式収納などの機能モジュール（補助家具）が取り付けられるものが提案されている（例えば、特許文献１参照）。このヘッドボードでは、ベッドのマットレス側となる前面に左右方向に延びるレール部材が上下方向に複数設けられており、機能モジュールの裏面には、レール部材に嵌合する嵌合部が設けられている。そして、機能モジュールに設けられた嵌合部をレール部材に嵌合させることで、機能モジュールが取り付けられる。
【先行技術文献】
【特許文献】
【０００３】
【特許文献１】特開２０１６−２０２２１８号公報
【発明の概要】
【発明が解決しようとする課題】
【０００４】
上述した特許文献１では、ヘッドボードの前面のレール部材に、機能モジュールの裏面に設けられた嵌合部を嵌合させるため、ヘッドボードの前面から機能モジュールが突出した状態で取り付けられることになる。このため、使用者の頭部が機能モジュールに接触するおそれがある。そのような接触を防ぐために、複数のレールのうち上段側のレールのみに機能モジュールを取り付けることが考えられるが、ベッドに横になっている使用者が手を伸ばしても機能モジュールに届きにくくなって使い勝手が悪くなることがある。
【０００５】
本発明は、使用者の頭部が接触するおそれがなく、使い勝手のよい機能モジュールを提供することを主目的とする。
【課題を解決するための手段】
【０００６】
本発明は、上述の主目的を達成するために以下の手段を採った。
【０００７】
本発明のヘッドボードは、ベッドのヘッドボードであって、前記ベッドのマットレス側となる前方および前記ベッドの幅方向における少なくともいずれかの側方が開口すると共に載置面を有するように前記ヘッドボード内に奥まって設けられた収容部と、前記収容部の側方の開口から出し入れ可能に前記載置面に載置される筐体を有し、前記収容部の前方の開口を介して所定機能を実現可能な機能モジュールと、を備え、前方側への前記筐体の回動を規制するように、前記筐体の前面または上面の少なくとも一方に当接可能な当接部が設けられることを要旨とする。
【０００８】
本発明のヘッドボードは、ヘッドボード内に奥まって設けられた収容部と、収容部の側方の開口から載置面に載置される筐体を有し収容部の前方の開口を介して所定機能を実現可能な機能モジュールと、を備えており、前方側への筐体の回動を規制するように、筐体の前面または上面の少なくとも一方に当接可能な当接部が設けられる。これにより、機能モジュールの筐体に使用者の頭部が接触するのを防止しつつ、収容部の前方の開口を介して使用者が機能モジュールを使用することができる。また、前方側への筐体の回動を規制するように、筐体の前面または上面の少なくとも一方に当接可能な当接部が設けられるから、機能モジュールの筐体が前方側に回動するように傾いても、ベッドのマットレス側に倒れるのを防止することができる。したがって、使用者の頭部が接触するおそれがなく、使い勝手のよい機能モジュールを提供することができる。
【０００９】
本発明のヘッドボードにおいて、前記収容部の前方の開口の上側に配置される上部板を備え、前記上部板は、前記当接部として、前記筐体の前面に当接可能な下端部を有するものとしてもよい。こうすれば、ヘッドボードの上部板を機能モジュールの筐体の倒れ防止に兼用することができるから、部品点数を抑えることができる。
【００１０】
本発明のヘッドボードにおいて、前記収容部は、前記当接部として、前記筐体の上面に当接可能に前記収容部内に突出する凸部が設けられるものとしてもよい。こうすれば、ヘッドボードの美観に影響を及ぼすことなく、機能モジュールの筐体の倒れを防止することができる。
【００１１】
本発明のヘッドボードにおいて、前記収容部は、前記ベッドの幅方向における中央部を除いた両端部の少なくとも一方に設けられるものとしてもよい。こうすれば、ベッドに横になっている使用者の頭上を除く位置に機能モジュールが配置されるため、使用者に機能モジュールの機能を使い易くすることができる。
【００１２】
本発明のヘッドボードにおいて、前記収容部は、複数種類の前記機能モジュールを横並びに収容可能に設けられるものとしてもよい。こうすれば、使用者が必要とする複数種類の機能を使用することが可能となり、機能モジュールの使い勝手をよりよいものとすることができる。
【００１３】
本発明のヘッドボードにおいて、前記収容部は、前記載置面が前記ベッドのマットレスの上面と略同じ高さとなるよう設けられるものとしてもよい。こうすれば、ベッドに横になっている使用者の手が届き易い高さに機能モジュールを配置して、機能モジュールの使い勝手をさらによいものとすることができる。
【図面の簡単な説明】
【００１４】
【図１】ベッド１０の構成を示す斜視図である。
【図２】ヘッドボード２０の構成を示す断面図である。
【図３】機能モジュール３０の一例を示す斜視図である。
【図４】使用者Ｓが機能モジュール３０を使用する様子の説明図である。
【図５】変形例のヘッドボード１２０の構成を示す断面図である。
【発明を実施するための形態】
【００１５】
次に、本発明を実施するための形態について図面を参照しながら説明する。
【００１６】
図１はベッド１０の構成を示す斜視図であり、図２はヘッドボード２０の構成を示す断面図である。なお、本実施形態において、上下方向（高さ方向）および左右方向（幅方向）は、図１に示す通りとする。
【００１７】
ベッド１０は、図１に示すように、ベッドフレーム１２と、ベッドフレーム１２の図示しない床板上に載置されるマットレス１４とを備える。ベッドフレーム１２は、キャビネットタイプのヘッドボード２０と、床板を支持する左右一対のサイドフレーム１３と、図示しないフットボードとを備える。なお、ヘッドボード２０は、マットレス１４側を前方（前面，表側）とし、マットレス１４とは反対側を後方（後面，裏側）とする。
【００１８】
ヘッドボード２０は、図１に示すように、サイドボード１３が図示しないボルトにより締結される下部板２１と、下部板２１上に設けられる中央板２２と、中央板２２上に設けられる上部板２３とを備える。下部板２１および上部板２３はマットレス１４よりも若干大きな幅に形成されており、中央板２２は下部板２１および上部板２３よりも小さな幅に形成されている。また、下部板２１および中央板２２は板面が鉛直方向に沿っており、上部板２３は上方に向かうにつれて板面が後方に傾斜している。上部板２３の表面の左下隅には、テレビやオーディオ機器などを操作するためのリモートコントロール装置（リモコン）Ｒｅを置いたり、タブレットやスマートフォンなどを置いたりするための断面Ｌ字状の置き台２４が設けられている。また、ヘッドボード２０は、下部板２１の裏面に上面（載置面２５ａ）が水平方向に沿った状態で垂設するように設けられた載置板２５と、載置板２５に垂設するように設けられた背面板２６と、上部板２３の裏面の幅方向における左右の縁部と背面板２６の表面とを接合する上部接合板２７と、中央板２２の裏面の幅方向における左右の縁部と背面板２６の表面とを接合する中央接合板２８とを備える。載置板２５は、図２に示すように、下部板２１の上端部２１ａよりも下方の位置に、上面（載置面２５ａ）がマットレス１４の上面と略同じ高さとなるように設けられる。
【００１９】
このヘッドボード２０は、中央板２２（左右の中央接合板２８）の左右に、下部板２１と上部板２３と背面板２６とにより囲まれて、載置板２５の上面を載置面２５ａとして収容物を収容（載置）可能に、ヘッドボード２０の前面に対して奥まった空間が設けられている。中央板２２の左側の空間を収容部２０Ｌ、右側の空間を収容部２０Ｒという。収容部２０Ｌは左側方および前方が一続きに開口した空間であり、収容部２０Ｒは右側方および前方が一続きに開口した空間である。なお、側方（左側方または右側方）および前方が一続きに開口するものに限られず、側方と前方との境に柱状部材などが設けられて側方と前方とが別々に開口するものなどとしてもよい。収容部２０Ｌには、背面板２６にコンセント２９が設けられている。このため、タブレットＴａやスマートフォンの充電用コードなどのプラグをコンセント２９に差し込んだ状態で収容部２０ＬにタブレットＴａやスマートフォンなどを収容可能となっている。また、収容部２０Ｒには、ベッド１０の使用者に使用される各種機能をモジュール化した機能モジュール３０を収容可能となっている。
【００２０】
ここで、図３は機能モジュール３０の一例を示す斜視図である。図示するように、本実施形態では、機能モジュール３０として、ティッシュモジュール３０Ａ（図３（ａ））、ゴミ箱モジュール３０Ｂ（図３（ｂ））、小物入れモジュール３０Ｃ（図３（ｃ））、ホルダーモジュール３０Ｄ（図３（ｄ））を使用可能となっている。ティッシュモジュール３０Ａは、直方体状の筐体３１内にティッシュペーパーＴｉ（図２（ａ）参照）を収容し、使用者は筐体３１の前面に設けられたスリット状の貫通孔３２からティッシュペーパーＴｉを取り出すことができる。ゴミ箱モジュール３０Ｂは、直方体状の筐体３１内にゴミＴｒ（図２（ｂ）参照）を収容可能であり、使用者は筐体３１の前面に設けられた円形状の貫通孔３３からゴミＴｒを捨てることができる。なお、ティッシュモジュール３０Ａやゴミ箱モジュール３０Ｂは、図示は省略するが、底部が開口し上部（前面）に貫通孔３２，３３が形成された箱形部材と、上部が開口した箱形部材とを組み合わせて構成することができる。あるいは、上部（前面）に貫通孔３２，３３が形成された箱形部材であって底板（裏面板）がスライドして内部に収容物を出し入れできるように構成することができる。小物入れモジュール３０Ｃは、前面に上下２段の引き出し３４が設けられており、使用者は、各引き出し３４に薬や体温計などの小物を収容することができる。ホルダーモジュール３０Ｄは、前面に設けられた矩形状の開口部３５の下縁に回動可能に取り付けられて開閉するボトルホルダー３６を有しており、使用者は開状態のボトルホルダー３６にペットボトルＰｅなどを収容することができる。なお、各機能モジュール３０Ａ〜３０Ｄは、いずれも筐体３１のサイズ（幅Ｗ、高さＨ、奥行きＤ）が同じサイズとなっている。また、収容部２０Ｌ，２０Ｒは、横幅が筐体３１を２つ収容可能なサイズ（２Ｗ）となっている。
【００２１】
なお、図１では、収容部２０Ｒにティッシュモジュール３０Ａとゴミ箱モジュール３０Ｂとが収容された例を示す。使用者は、収容部２０Ｒの右側方の開口からティッシュモジュール３０Ａ、ゴミ箱モジュール３０Ｂの順に挿入することにより収容することができる。使用者は、収容部２０Ｒ内に挿入されて載置面２５ａに筐体３１が載置された各機能モジュール３０の機能を、収容部２０Ｒの前方の開口から使用可能となる。なお、使用者は、収容部２０Ｒに収容する機能モジュール３０を入れ替えることにより、必要な機能モジュール３０を使用することができる。
【００２２】
また、図２（ａ）は収容部２０Ｒに機能モジュール３０Ａが収容された箇所の断面図であり、図２（ｂ）は収容部２０Ｒに機能モジュール３０Ｂが収容された箇所の断面図である。図示するように、収容部２０Ｒの前方の開口の開口高さＨ１、即ち下部板２１の上端部２１ａから上部板２３の下端部２３ａまでの距離が、筐体３１の高さＨよりも短くなっている。なお、収容部２０Ｌの開口高さＨも同じ高さである。このため、収容部２０Ｌ，２０Ｒに機能モジュール３０（３０Ａ，３０Ｂ）が収容された状態で、上部板２３の下端部２３ａの裏面や下部板２１の上端部２１ａの裏面が筐体３１の前面に当接可能となる。特に、上部板２３の下端部２３ａは、機能モジュール３０（３０Ａ，３０Ｂ）の筐体３１が前方に回動するのを規制するよう当接可能となっている。
【００２３】
図４に、ベッド１０の機能モジュール３０を使用者Ｓが使用する際の様子を示す。図４では、図１と同様に、収容部２０Ｒにティッシュモジュール３０Ａとゴミ箱モジュール３０Ｂとが収容されている。上述したように、本実施形態では、収容部２０Ｒの載置面２５ａがマットレス１４の上面と略同じ高さとなるから、マットレス１４に横になっている使用者Ｓが手を高く上げることなく各機能モジュール３０に手が届き易いものとなる。また、本実施形態では、収容部２０Ｒが中央板２２の右側、即ち、マットレス１４に横になっている使用者Ｓの頭上から外れる箇所に設けられるから、使用者Ｓが各機能モジュール３０を見ながら使用し易いものとなる。このため、図示するように、マットレス１４に横になっている使用者Ｓは、体を起こすことなく手を伸ばすことで、ティッシュモジュール３０ＡのティッシュペーパーＴｉを取り出したり、使用済みのティッシュペーパーＴｉなどのゴミＴｒをゴミ箱モジュール３０Ｂに捨てたりすることができる。なお、機能モジュール３０として小物入れモジュール３０Ｃやホルダーモジュール３０Ｄが収容されている場合も、同様にマットレス１４に横になっている使用者Ｓは体を起こすことなく手を伸ばすことで、引き出し３４から小物を取り出したり、ボトルホルダー３６に載置されているペットボトルＰｅを取ったりすることができる。また、収容部２０Ｒは、奥まった空間として設けられるから、機能モジュール３０がマットレス１４側に出っ張ることがない。このため、使用者Ｓが寝返りをうったりしても、使用者Ｓの頭部が各機能モジュール３０に接触するのを防止することができる。
【００２４】
ここで、例えば、ティッシュモジュール３０ＡのティッシュペーパーＴｉを取り出す際に、取り出されるティッシュペーパーＴｉと次のティッシュペーパーＴｉとの摩擦力により筐体３１が前方に傾く場合がある。また、小物入れモジュール３０Ｃの引き出し３４を引き出した際に引き出し３４や小物の重みにより筐体３１が前方に傾く場合や、ホルダーモジュール３０Ｄのボトルホルダー３６にペットボトルＰｅを載せた際にペットボトルＰｅの重みにより筐体３１が前方に傾く場合がある。上述したように、本実施形態では、収容部２０Ｒの開口高さＨ１が筐体３１の高さＨよりも低くなっており、筐体３１の前面が上部板２３の下端部２３ａの裏面や下部板２１の上端部２１ａの裏面に当接可能となっている。特に、上部板２３の下端部２３ａが、機能モジュール３０の筐体３１が前方に回動するのを規制するよう当接可能となっている。このため、筐体３１が前方に傾いて回動した場合でも、筐体３１がマットレス１４側（前方）に倒れるのを適切に防止することができる。したがって、使用者Ｓは、筐体３１を手で押さえたりすることなく、片手操作のみでティッシュモジュール３０ＡからティッシュペーパーＴｉを取り出すことができるから、機能モジュール３０の使い勝手をよりよいものとすることができる。なお、各機能モジュール３０が収容部２０Ｒに収容された場合を例示して説明したが、収容部２０Ｌに収容された場合でも同様のことがいえる。
【００２５】
以上説明した本実施形態のヘッドボード２０は、ヘッドボード２０内に奥まって設けられた収容部２０Ｒと、収容部２０Ｒの側方の開口から収容され収容部２０Ｒの前方の開口を介して所定機能を実現可能な機能モジュール３０とを備える。このため、マットレス１４に横になっている使用者Ｓの頭部が機能モジュール３０の筐体３１に接触するのを防止しつつ、使用者Ｓが機能モジュール３０を使用することができる。また、収容部２０Ｒは、前方の開口の高さ方向における開口幅Ｈ１が筐体３１の高さＨよりも低くなるよう設けられて、上部板２３の下端部２３ａ（裏面）が筐体３１が前方に回動するのを規制するよう当接可能となっている。このため、機能モジュール３０の筐体３１がマットレス１４側に倒れるのを防止することができる。したがって、使用者Ｓの頭部が接触するおそれがなく、使い勝手のよい機能モジュール３０を提供することができる。また、ヘッドボード２０の上部板２３を機能モジュール３０の筐体３１の倒れ防止に用いるから、倒れ防止部材を別途設けるものに比して、部品点数を抑えることができる。
【００２６】
また、収容部２０Ｒがベッド１０の幅方向における中央部を除いた端部に設けられており、マットレス１４に横になっている使用者Ｓの頭上を除く位置に機能モジュール３０を配置することができるから、使用者Ｓが各機能モジュール３０を見ながら使用し易いものとなる。
【００２７】
また、収容部２０Ｒが２つの機能モジュール３０（３０Ａ，３０Ｂ）を横並びに収容することができるから、使用者Ｓが必要な複数種類の機能を選択的に使用することが可能となる。
【００２８】
また、収容部２０Ｒの載置面２５ａがマットレス１４の上面と略同じ高さに設けられるから、使用者Ｓの手が届き易い位置に機能モジュール３０を配置することができる。
【００２９】
上述した本実施形態では、左右の収容部２０Ｌ，２０Ｒのうち収容部２０Ｒにのみ機能モジュール３０を収容した例を示したが、これに限られず、収容部２０Ｌにのみ機能モジュール３０を収容してもよいし、収容部２０Ｌ，２０Ｒのいずれにも機能モジュール３０を収容してもよい。
【００３０】
本実施形態では、機能モジュール３０として、４つのモジュール３０Ａ〜３０Ｄを使用するものを例示したが、これらのモジュールに限られるものではない。例えば、４つのモジュール３０Ａ〜３０Ｄに代えてあるいは加えて、照明を内蔵した照明モジュールやワイヤレスで受信した音楽などを出力するスピーカユニットを内蔵したスピーカモジュールなどを使用するものとしてもよい。そのようなモジュールを使用する場合、収容部２０Ｌ，２０Ｒ内（載置板２５や背面板２６など）において各モジュールが配置される箇所にコンセントを設けて給電するものなどとすればよい。なお、異なる種類の機能モジュール３０を収容するものに限られず、同じ種類の機能モジュール３０を左右に１つずつ収容するものなどとしてもよい。
【００３１】
本実施形態では、収容部２０Ｌ，２０Ｒは、載置面２５ａがマットレス１４の上面と略同じ高さに設けられるものとしたが、これに限られず、載置面２５ａがマットレス１４の上面よりも低い高さに設けられてもよいし、載置面２５ａがマットレス１４の上面よりも高い高さに設けられてもよい。
【００３２】
本実施形態では、収容部２０Ｌ，２０Ｒは、２つの機能モジュール３０を横並びに収容可能としたが、これに限られず、３以上の複数の機能モジュール３０を横並びに収容可能としてもよいし、１の機能モジュール３０のみを収容可能としてもよい。
【００３３】
本実施形態では、収容部２０Ｌ，２０Ｒがベッド１０の幅方向における中央部を除いた左右の両端部に設けられるものとしたが、これに限られず、中央部を除いた左右の両端部のいずれか一方の端部に設けられるものとしてもよい。あるいは、収容部が中央部を除いた箇所に設けられるものに限られず、中央部を含めて設けられるものとしてもよい。例えば、ベッド１０の幅方向の全長に亘って設けられるものなどとしてもよい。
【００３４】
本実施形態では、収容部２０Ｌ，２０Ｒは、高さ方向における開口幅Ｈ１を筐体３１の高さＨよりも狭くして、上部板２３の下端部２３ａの裏面を筐体３１の回動を規制するように筐体３１の前面に当接可能とすることで筐体３１の倒れを防止したが、これに限られるものではない。例えば、図５の変形例のヘッドボード１２０に示すように、収容部２０Ｒ（２０Ｌ）内に筐体３１の上面に当接可能なガイドレール２６ａ（凸部）を設けることで筐体３１の倒れを防止してもよい。図５の変形例では、下部板１２１の上端部２１ａを載置板２５の載置面２５ａと同じ高さとし、上部板１２３の下端部が筐体３１の前面に当接しないものとしている。即ち、収容部２０Ｒの高さ方向における開口幅が筐体３１の高さＨよりも広いものであって、ガイドレール２６ａが背面板２６の前面に設けられるものを例示するが、筐体３１の上面に当接可能なガイドレールを上部板２３（１２３）の裏面に設けるものなどとしてもよい。図５のガイドレール２６ａは、載置面２５ａからガイドレール２６ａの下面までの高さＨ２が、筐体３１の高さＨよりも若干高くなる位置に、収容部２０Ｒの幅方向の全長に亘って設けられている。また、高さＨ２は、側方からの筐体３１の挿入（収容）をガイドしつつ、筐体３１が前方に傾いた際に筐体３１の上面にガイドレール２６ａの下面が当接する高さとなっている。これにより、筐体３１が傾いた場合にガイドレール２６ａによって筐体３１の上面を押さえることができるから、上述した実施形態と同様に、機能モジュール３０の筐体３１がマットレス１４側に倒れるのを防止することができる。また、収容部２０Ｒ内に設けられるガイドレール２６ａは、ヘッドボード１２０の美観（外観）に影響を及ぼさないから、ヘッドボード１２０の美観を損なうことなく、機能モジュール３０の筐体３１の倒れを防止することができる。このように、ヘッドボード２０（１２０）を、筐体３１の回動を規制するように筐体３１の前面または上面の少なくとも一方に当接可能に構成すればよい。なお、前面および上面の両方に当接可能に構成してもよく、例えば、下部板２１の上端部２１ａ（あるいは上部板２３の下端部２３ａ）を筐体３１の前面に当接可能とし、ガイドレール２６ａが筐体３１の上面に当接可能としてもよい。
【００３５】
本実施形態の主要な要素と課題を解決するための手段の欄に記載した発明の主要な要素との対応関係について説明する。実施形態では、ヘッドボード２０が「ヘッドボード」に相当し、収容部２０Ｌ，２０Ｒが「収容部」に相当し、機能モジュール３０が「機能モジュール」に相当し、上部板２３の下端部２３ａや下部板２１の上端部２１ａ、背面板２６のガイドレール２６ａが「当接部」に相当する。また、上部板２３が「上部板」に相当し、下端部２３ａが筐体の前面に当接可能な「下端部」に相当する。また、ガイドレール２６ａが「凸部」に相当する。
【００３６】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００３７】
本発明は、ヘッドボードの製造産業などに利用可能である。
【符号の説明】
【００３８】
１０  ベッド、１２  ベッドフレーム、１３  サイドフレーム、１４  マットレス、２０，１２０  ヘッドボード、２０Ｌ，２０Ｒ  収容部、２１，１２１  下部板、２１ａ  上端部、２２  中央板、２３，１２３  上部板、２３ａ  下端部、２４  置き台、２５  載置板、２５ａ  載置面、２６  背面板、２６ａ  ガイドレール、２７  上部接合板、２８  中央接合板、２９  コンセント、３０  機能モジュール、３０Ａ  ティッシュモジュール、３０Ｂ  ゴミ箱モジュール、３０Ｃ  小物入れモジュール、３０Ｄ  ホルダーモジュール、３１  筐体、３２，３３  貫通孔、３４  引き出し、３５  ボトルホルダー、Ｄ  奥行き、Ｈ，Ｈ１，Ｈ２  高さ、Ｐｅ  ペットボトル、Ｒｅ  リモコン、Ｓ  使用者、Ｔａ  タブレット、Ｔｉ  ティッシュペーパー、Ｔｒ  ゴミ、Ｗ  幅。
【図１】
2018191772.tif 000003
【図２】
2018191772.tif 000004
【図３】
2018191772.tif 000005
【図４】
2018191772.tif 000006
【図５】
2018191772.tif 000007